(57)【要約】【課題】  植設時にかつらベース裏面に針足が形成されず、恰も頭髪が頭皮から生育しているかの如き自然な外観を呈するかつらとその製造方法を提供する。【解決手段】  かつらベース１１とかつらベースに対して植設した毛髪１２とで構成されるかつら１０において、かつらベース１１を、人工皮膚のベース部材１４とその裏側に配置されたネット部材で成る第２のベース部材１５とから構成し、毛髪１２を、第２のネット部材１５に結着すると共に、第１の人工皮膚ベース部材１４の下側から貫通させて表側に引き抜くことで、毛髪１２が恰も毛穴から生えているような自然な外観を呈し、見栄えに優れるかつら１０を得る。【選択図】  図４
2006183215.tif 000002
【特許請求の範囲】
【請求項１】
かつらベースとかつらベースに取り付けた毛髪とで構成されるかつらにおいて、
上記かつらベースが、第１のベース部材と該第１のベース部材の裏側に配置された第２のベース部材とから構成されており、
上記毛髪が、上記第２のベース部材に取り付けられると共に、上記第１のベース部材を通って、該第１のベース部材の表側に延びていることを特徴とするかつら。
【請求項２】
前記毛髪を二つ折りにして、この折り返し部分を前記第２のベース部材に取り付けることで一対の毛髪とし、該一対の毛髪が前記第１のベース部材に形成された一つの貫通孔から引き抜かれて表側に延びていることを特徴とする、請求項１に記載のかつら。
【請求項３】
前記一対の毛髪が、前記第１のベース部材の貫通孔の収縮作用によりほぼ垂直方向に保持されて上方へ引き抜かれていることを特徴とする、請求項２に記載のかつら。
【請求項４】
前記第２のベース部材の裏側に、さらに毛髪固定用接着剤の塗布が施され、取り付けられた毛髪が上記毛髪固定用接着剤によって被覆固定されることを特徴とする、請求項１に記載のかつら。
【請求項５】
前記第１のベース部材が人工皮膚からなることを特徴とする、請求項１又は３に記載のかつら。
【請求項６】
前記第２のベース部材がネット部材からなることを特徴とする、請求項１又は４に記載のかつら。
【請求項７】
第１のベース部材とその裏側に配置した第２のベース部材とでかつらベースを形成する第１の段階と、
上記第２のベース部材に毛髪を取り付ける第２の段階と、
その後、上記第２の段階で取り付けた毛髪を上記第１のベース部材の裏側から表側に引き出す第３の工程と、
を備えたことを特徴とする、かつらの製造方法。
【請求項８】
第１のベース部材とその裏側に配置する第２のベース部材とを別個に形成する第１の段階と、
上記第２のベース部材に対して裏側から毛髪を植設する第２の段階と、
上記第２のベース部材の表側に上記第１のベース部材を配置する第３の段階と、
その後、上記第２の段階で取り付けた毛髪を上記第１のベース部材の裏側から表側に引き出す第４の段階と、
を備えたことを特徴とする、かつらの製造方法。
【請求項９】
前記第２のベース部材に取り付けた毛髪を前記第１のベース部材の表側に引き出す工程が、前記第１のベース部材の表側から鉤針を貫通させて、その貫通孔から前記第２のベース部材に取り付けた毛髪を前記第１のベース部材の表側に引き出すことを特徴とする、請求項７又は８に記載のかつらの製造方法。
【請求項１０】
前記第１のベース部材の一つの貫通孔から、一対の毛髪が引き抜かれることを特徴とする、請求項９に記載のかつらの製造方法。
【請求項１１】
前記一対の毛髪が、前記第１のベース部材の貫通孔の収縮作用でほぼ垂直方向に保持されて上方へ引き抜かれることを特徴とする、請求項１０に記載のかつらの製造方法。
【請求項１２】
前記第２のベース部材の裏側に、さらに毛髪固定用接着剤の塗布が施され、取り付けた毛髪が上記毛髪固定用接着剤によって被覆固定されることを特徴とする、請求項７又は８に記載のかつらの製造方法。
【請求項１３】
前記第２のベース部材を第１のベース部材の裏側に接着又は縫着して配置することを特徴とする、請求項７又は８に記載のかつらの製造方法。
【請求項１４】
前記第２のベース部材を前記第１のベース部材へ接着する際、接着用溶液を薄く塗布することにより仮止め接着することを特徴とする、請求項７又は８に記載のかつらの製造方法。
【請求項１５】
前記第１のベース部材が人工皮膚からなることを特徴とする、請求項７又は８に記載のかつら。
【請求項１６】
前記第２のベース部材がネット部材からなることを特徴とする、請求項７又は８に記載のかつら。
【発明の詳細な説明】
【技術分野】
【０００１】
本発明は、かつらベースに取り付けた毛髪の取付け時の、所謂、針足が形成されることなく、また、毛髪を結着して取り付ける場合の結び目が露顕されるのを防止して、とくに毛髪の生え際を自然に見せ、恰も自己の頭髪が頭皮から生育しているかの如き外観を呈するかつら及びその製造方法に関するものである。
【背景技術】
【０００２】
一般に、かつらは、かつらベースとこのかつらベースに取り付けた人毛又は人工毛髪でなる毛髪とで構成されている。
図８は従来のかつらの一例の構成を示す概略断面図である。図８において、かつら５０は、ウレタン樹脂などの軟質の合成樹脂を素材とした肉薄の人工皮膚により形成されたかつらベース５２と、この人工皮膚ベース５２に植設してその表面側に延びる毛髪５３と、人工皮膚ベース５２の裏面に形成された裏コーティング５４と、から構成されている。人工皮膚ベース５２は一般に透明又は半透明で、厚さが０．０２ｍｍ〜０．５ｍｍ程度の柔軟に且つ極薄に形成されており、これを頭部に装着すると、人工皮膚ベースに植設した毛髪の隙間を通して人工皮膚が露顕しても、恰も頭皮のような外観を呈すことができる。
【０００３】
ところで、人工皮膚ベース５２に毛髪５３を植設する一例として、人工皮膚ベース５２の表面側で毛髪を結着して取り付ける場合がある（図示せず）。この場合、先ず、人工皮膚ベース５２の表側から鉤針を裏側まで貫通させた後、裏側の近接した位置で鉤針の鉤部分を表側に露出させて、二つ折りにした毛髪をこの鉤針に引っ掛けて裏側へ引き入れた後で鉤針を引き抜くと、毛髪の折り部がループとなって表面に出現するので、このループに毛髪の自由端側の一対を通して結び目を作りながら結着する。この作業を繰り返して人工皮膚ベース５２の表面に毛髪が所定の密度で植設される。しかしこの場合、人工皮膚ベース５２の表面側に瘤状の結び目が形成されることから、この瘤状の結び目が毛髪の隙間を通して直接視認されてしまい、毛髪を植設していることが認識され易い。
【０００４】
そこで人工皮膚ベース５２に毛髪５３を植設する他の例として、図９に示すように、毛髪５３をベース５２に単に挿通させるだけの、所謂Ｖ植えという技法が多用される。このＶ植えの場合、鉤針を表側から貫通して近接した位置で鉤部を裏側から表側に露出させ、二つ折りにした毛髪５３をこの鉤針に引っ掛けて裏側へ引き入れた後で、所定長さの針足５３ａを作って、一対となった毛髪の一方だけを再び人工皮膚の表面側に引き抜くことにより、人工皮膚ベースの表面から一対の毛髪がＶ状又はＵ状に植設される。このＶ植えの技法では、人工皮膚ベースの裏面側に毛髪の中央部分が約０．５ｍｍ〜２ｍｍ程度に線状に形成される（これを、針足と称する）が、ベースの表面に結び目が形成されないので恰も頭皮から毛髪５３が生えているように見せることができる。
すなわち、図９に示すように、毛髪５３を人工皮膚ベース５２表面側の第１の位置５２ａから挿入して裏面側に貫通し、所定距離例えば０．５〜２ｍｍ程度の針足５３ａを作って第２の位置５２ｂから表側に引き出すことで挿通している。従って、第１の位置５２ａから第２の位置５２ｂまでの間には人工皮膚ベース５２の裏側に毛髪の針足５３ａが０．５〜２ｍｍ程度の長さで線状に存在し、毛髪の一方を表面側に引き抜く際になるべく緩まないよう鉤針の引張力を利用してきつく引き抜くので、この針足５３ａは、ウレタン樹脂など軟質合成樹脂で成る人工皮膚ベースの裏側に食い込むように接する。このように、針足５３ａは人工皮膚の裏面に直接に密着していることから、かつらベース５２の表面側から肉薄の人工皮膚を透過して針足が線状に透けて見えてしまう。そうすると、毛髪と毛髪との間の本来は頭皮の皮膚色だけしか見えない領域においても、毛髪が黒色であれば針足５３ａが黒い線状又は斑点状に透けて見えるためヒトの皮膚（頭皮）感と異なった不自然な外観を呈することになる。
【０００５】
さらにこのＶ植え技法では、人工皮膚ベース５２に毛髪５３を単にＶ状又はＵ状に挿通しただけであるので、手指やブラッシングなどで簡単に毛髪が引き抜かれるため、挿通した毛髪を確実に固定する為の毛止め工程が不可欠である。この毛髪固定のために、通常、Ｖ植え後にかつらベース５２の裏面から、有機溶剤で希釈した接着用溶液を塗布し、人工皮膚に対してこの溶液を付着して硬化させる樹脂コーティング５４を施し、毛髪の針足５３ａを人工皮膚ベース５２と樹脂コーティング５４との間でサンドイッチ状に挟んで固定保持している（特許文献１及び２参照）。これにより、挿通された毛髪５３が人工皮膚ベース５２に対して回転したり抜けたりしないで確実に固定保持される。
【０００６】
一方、ネット部材を主体とした従来のネットベースに毛髪を植設する場合は、例えば、中央部分を二つ折りにした毛髪を、植設針を用いてネットベースを構成するフィラメントに結び付けて植設するが、この毛髪の結び目が緩まないようにしっかり結ぶ必要がある。毛髪の植設部が緩まないようにするために、例えば結び目を多重にしているが、この結び目が比較的大きな球状を呈し、ネットベースの表面側から視認され易い。
【０００７】
【特許文献１】特開昭５２−１２３７５５号公報（特許請求の範囲）
【特許文献２】特許第３４８４５６５号公報
【発明の開示】
【発明が解決しようとする課題】
【０００８】
上記した従来のＶ植え技法では、上記針足５３ａが外部から視認されることによって、人工皮膚ベースの表側に線状又は斑点状の、頭皮色とは異なる不自然な色が現れ、これがかつらの品質を低下したりかつらの存在が露顕してしまい、見栄えがよくないという課題がある。針足３ａの露顕を防ぐためには、植設の際に針足３ａの長さを短くすればよいが、せいぜい０．４ｍｍ程度が限界であるので、特に、毛髪の密集していない生え際の領域においては、このような針足３ａが視認されるようなＶ植え技法は不利である。
【０００９】
また、従来のネットベースを用いるかつらにおいても、球状の結着部が視認され易く、かつらの存在が露顕し易いので好ましくない。
【００１０】
本発明は、上記課題に鑑み、植設した毛髪の針足や瘤状の決着部がかつらベースの表面側から視認されるのを防止して、とくに毛髪の生え際を自然に見せ、恰も自然の毛髪が頭皮から生育しているような外観を呈するかつら及びその製造方法を提供することを目的とする。
【課題を解決するための手段】
【００１１】
上記目的を達成するため、本発明のかつらは、かつらベースとかつらベースに取り付けた毛髪とで構成されるかつらにおいて、かつらベースが、第１のベース部材と第１のベース部材の裏側に配置された第２のベース部材とから構成されており、毛髪が、第２のベース部材に取り付けられると共に、第１のベース部材を通って、第１のベース部材の表側に延びていることを特徴とする。
上記構成において、好ましくは、毛髪を二つ折りにして、この折り返し部分を第２のベース部材に取り付けることで一対の毛髪とし、一対の毛髪が第１のベース部材に形成した一つの貫通孔から引き抜かれて表側に延びている。
また、一対の毛髪が、好ましくは、第１のベース部材の貫通孔の収縮作用によりほぼ垂直方向に保持されて上方へ引き抜かれている。また、好ましくは、第２のベース部材の裏側に、さらに毛髪固定用接着剤の塗布が施され、取り付けられた毛髪が毛髪固定用接着剤によって被覆固定される。第１のベース部材は、好ましくは人工皮膚からなる。また、第２のベース部材は、好ましくはネット部材からなり、ネット部材に毛髪が結着される。
【００１２】
上記構成によれば、かつらベースに対して、毛髪が第１のベース部材の裏側にて第２のベース部材に取り付けられると共に、第２のベース部材から延びる毛髪の自由端側は第２のベース部材の表側に配置した第１のベース部材の裏側から表側に引き出されるだけであって、毛髪が第１のベース部材に直接植設されてはいないので、第１のベース部材の、例えば人工皮膚の内部から直接毛髪が伸び出しているような外観を呈する。したがって、毛髪の生え際が自然に見え、見栄えが著しく向上する。
また、第１のベース部材の裏側に位置する毛髪の植設部分は、例えばネット部材で構成した第２のベース部材に結着されているだけであるから、従来の人工皮膚部材にＶ植えをした場合に生じる針足が第１のベース部材に形成されない。また、毛髪は第１のベース部材に植設されていないので、針足が存在せず、下側に位置するネット部材で成る第２のベース部材への毛髪の結着部分が第１のベース部材を通して透けて見えることもない。したがって、たとえば生え際のように密度の低い植設領域にあってもかつらの存在が露顕されず、恰も頭皮の内部から頭髪が生育しているかの如き自然な外観を呈する。
また、第１のベース部材が人工皮膚で成る場合、毛髪は第１の人工皮膚ベース部材の裏側で第２のベース部材に植設され、さらに第２のベース部材の表側にて第１の人工皮膚ベース部材の貫通孔を介して保持されていることから、引き出された毛髪は人工皮膚の弾性に基づく貫通孔の収縮作用によって保持され直立することになり、毛髪の立ち上がりに優れるためボリューム感が増す。
【００１３】
さらに、本発明のかつらの製造方法の一態様では、第１のベース部材とその裏側に配置した第２のベース部材とでかつらベースを形成する第１の段階と、第２のベース部材に、好ましくはその裏側から毛髪を取り付ける第２の段階と、その後、第２の段階で取り付けた毛髪を第１のベース部材の裏側から表側に引き出す第３の工程と、を含んでいることを特徴とする。
また、本発明のかつらの製造方法の他の態様では、第１のベース部材と第２のベース部材とを別個に形成する第１の段階と、第２のベース部材に、好ましくはその裏側から毛髪を取り付ける第２の段階と、第１のベース部材を第２のベース部材の表側に配置する第３の段階と、その後、第２の段階で取り付けた毛髪を第１のベース部材の表側に引き出す第４の段階と、を含んでいることを特徴とする。
第１のベース部材を第２のベース部材上に配置する場合、単に相互に重ねただけであっても或いは重ね合わせて互いに接着するか又は例えばこれらの周囲を縫合した状態で、毛髪を第１のベース部材の裏側から表側に引き出す次工程に進めばよい。
【００１４】
上記製造方法によれば、毛髪の植設部分が、第１のベース部材に形成されずその下側の第２のベース部材に形成されていることから、従来の人工皮膚部材を用いたかつらに直接Ｖ植えをした場合に生じた針足が形成されない。また、この植設部分は裏側の第２のベース部材に形成されているだけなので、第１のベース部材の下側に位置してこの第１のベース部材に密着されないことから透けて見えることがない。よって、かつらベースに植設された毛髪は、生え際のように密度の低い植設領域にあっても、毛髪間の隙間はヒトの自然な頭皮色の外観を呈すると共に、恰も頭髪が頭皮の内部から伸び出て生育しているかの如き外観を呈し、見栄えに優れたかつらを製造することができる。
【００１５】
上記製造方法において、第２のベース部材に植設された毛髪を人工皮膚製の第１のベース部材の表側に引き出す際は、第１のベース部材の表側から鉤針を貫通させ、その貫通孔から引き出すようにすれば好ましい。この構成によれば、第１のベース部材の表面の所望の位置から鉤針を挿入することにより、毛髪の第１のベース部材からの引出し位置を適宜に選定することが可能であると共に、毛髪の植設部から毛髪を、第１のベース部材の表面側に容易に引き出すことができる。
【発明の効果】
【００１６】
本発明によれば、かつらベースに植設された毛髪の針足が生じず、植設部分が第１のベース部材を通して透けて見えないので、自然な外観を呈すると共に、かつらの存在が露顕されず、見栄えに優れるかつら及びその製造方法を提供することができる。
また、本発明によれば、毛髪は第１のかつらベースの下側（裏側）に位置する第２のベース部材に取り付けられた後、上側（表側）の第１のベース部材から上方に引き出されるので、第１のベース部材が人工皮膚の場合は、引き出された毛髪は第１のベース部材の人工皮膚の弾性に基づく収縮作用によって保持され直立することから、毛髪の立ち上がりに優れ、ボリューム感を増大することができると共に、恰も頭皮の内部から頭髪が発育したかのような自然な外観を呈することができる。
【発明を実施するための最良の形態】
【００１７】
以下、図面に示した実施形態に基づいて、本発明を詳細に説明する。
最初に、本発明のかつらについて、図１を参照して説明する。図１は本発明のかつらの構成を模式的に示す部分拡大断面図である。かつら１０は、使用者の頭部に装着されるかつらベース１１とこのかつらベース１１の表面側に延びるように取り付けられた毛髪１２とで構成されている。かつらベース１１は、頭部の寸法などにより標準化したものから選択した頭部形状類似のものや、使用者の頭部形状に合わせて型取りして形成される。
【００１８】
図２は、図１のかつらで使用されるかつらベースの構成を示す模式的な拡大平面図であり、図３は図２のＡ−Ａ線に沿う断面図であり、図４はかつらベース１１に毛髪１２を植設して表面に引き出した状態を示す部分拡大断面図である。
先ず、かつらベース１１は、図１〜４に示すように、第１のベース部材１４と、この第１のベース部材１４の裏側（下側）、すなわち頭皮に接する側に取り付けられた第２のベース部材１５と、から構成されている。
第１のベース部材１４としては、ネット部材で構成することもできるが、本発明では特に、ヒトの頭皮に極めて類似する人工皮膚部材を用いることが好ましい。この人工皮膚部材の材料は、例えばウレタン樹脂やシリコン樹脂のような軟質合成樹脂にて肉薄に成形することができる。ウレタン樹脂やシリコン樹脂のように軟質の合成樹脂はある程度の弾力性を有し伸縮性を有しているためフィット感に優れている。この人工皮膚製の第１のベース部材１４には、かつら１０の表面での光沢をなくすための艶消し処理が施されていることが好ましい。
【００１９】
また、第２のベース部材１５としては、人工皮膚部材を用いてもよいが、本発明では特にネット部材を用いるのが好ましい。網目をもったネット部材の材料としては、ナイロンのモノフィラメントにて、所定間隔をあけて織成又は編成したもの、或いはナイロンモノフィラメントを複数本縦方向に配置した縦糸群と縦糸群と直交する方向に複数本配置した横糸群とを互いに重ね合わせたうえで、それらの交点を接着することにより形成したものが使用できる。
このネット部材１５のメッシュ、すなわち網目は、例えば３０〜６０メッシュ／インチとし、ネット部材１５を構成するフィラメントの太さ（直径）は、例えば８０〜１２０μｍ（０．０８〜０．１２ｍｍ）とすることができる。一例としてナイロンストッキングのような細メッシュを有する薄い素材が、軽量で且つ通気性に優れるので好適である。
【００２０】
上記毛髪１２は、人毛又はナイロンやポリエステルなどで作った人工毛からなっており、４０〜１００μｍ程度のヒトの頭髪と同程度の直径に形成される。この毛髪１２は第２のベース部材１５としてのネット部材の縦横のフィラメント又はその交点に対して取り付けられる。
図４に示すように、毛髪１２のネット部材への植設は、１本又は２，３本の毛髪１２を二つ折りにして一対とした各毛髪１２ａ，１２ｂの折り返し部分に、専用の鉤針を引っ掛けて、第２のベース部材１５に結び目１２ｃを形成して結着することで取り付けられる。そして、植設された毛髪１２の一対１２ａ，１２ｂは、表側（上側）に配置された人工皮膚製の第１のベース部材１４を貫通して裏側から表側に引き出される。図４では１本の毛髪１２を用い、折り返した部分を第２のベース部材１５に対して、紐などを結ぶときに用いられる公知の結び方、例えばひばり結び、まき結び、左右結びなど、あるいはこれらを応用した結び方などで結着することで、一対の毛髪１２ａ，１２ｂを取り付けた状態を示している。
【００２１】
このように、毛髪１２が第１のベース部材１４の裏面に直接接触している部分は、基本的には上記第２のベース部材１５に植設された結び目１２ｃ部分であり、１本の毛髪を二つ折りにした場合は、毛髪２〜４本分程度の結び目の長さしかないことになる。従って、毛髪の直径を５０μｍ程度とすると、第１のベース部材１４の裏面に直接接触している毛髪１２の部分はせいぜい、約１００〜４００μｍ、即ち、約０．１〜０．４ｍｍほどのほぼ点状で接触している程度にすぎない。これは従来のかつらの針足の０．５乃至２ｍｍ程度に対して、１／５程度にすぎず、かつら１０の外部から視認することができない。また実際は、一対の毛髪１２ａ，１２ｂがその結び目１２ｃのほぼ真上に配置されるので、第１のベース部材１４の上方からこの結び目１２ｃが透かして見えることは全くない。
【００２２】
ここで、第２のベース部材１５としてのネット部材は、第１のベース部材１４と同様に使用者の頭部形状に対応する膨出状に形成されることが好ましいが、この第２のベース部材１５に毛髪１２を結着する場合は、膨出状の表面側から毛髪１２を結着する方法、又は凹状となった裏面側から毛髪１２を結着する方法の何れであってもよい。前者による場合は毛髪の結び目が表面側に突出するが、後者による場合は毛髪の結び目が裏面側に位置することになる。
【００２３】
なお、第２のベース部材１５の裏面側から毛髪１２を結着した場合、結び目１２ｃが頭皮に当接してザラつくときは、毛髪１２を第１のベース部材１４表面に引き抜いた後、第２のベース部材１５の裏側から、有機溶剤で希釈した裏コーティング剤を塗布し、第２のベース部材１５と第１のベース部材１４に対してこの溶液を付着して硬化することで結び目１２ｃを覆って裏コーティング１３を施せばよい。裏コーティング１３は、第２のベース部材１５全体を覆うように塗布されて乾燥された、例えばゴム弾性を有する合成樹脂溶液、好ましくは第１のベース部材１４と同系の材料から構成することにより、第２のベース部材１５を毛髪の結び目１２ｃと共にサンドイッチ状に被覆することができる。
【００２４】
第２のベース部材１５に植設した毛髪１２は、上記したように一対１２ａ，１２ｂで第１のベース部材１４の表面に引き出される。この引出し作業は、第１のベース部材１４の人工皮膚の表面から鉤針１６（図６参照）を貫通し、毛髪の一対１２ａ，１２ｂを引っ掛けて、そのまま鉤針１６を引き戻すことで、鉤針１６を刺した人工皮膚１４の貫通孔１４ａから一対の毛髪１２ａ，１２ｂを引き抜くことができる。従って、第１のベース部材１４の人工皮膚に形成される一つの貫通孔１４ａから、同時に一対の毛髪１２ａ，１２ｂをほぼ垂直方向に上方へ引き抜くことから、人工皮膚には毛髪の結び目も形成されず、またその裏側に針足が形成されることもないので、恰もヒトの毛穴から２本の頭髪が生育しているかの如き自然な外観を呈することができる。因みに、ヒトの頭髪は一つの毛穴から、２，３本程度の頭髪が生えているのが通常であるので、この点でも自然感が増すので好ましい。
【００２５】
図４に示すように、第１のベース部材１４を人工皮膚とした場合は、軟弾性を有することから、鉤針で形成された貫通孔１４ａの径が多少大きくなっても、この軟弾性により貫通孔１４ａが縮径するので、引き出された一対の毛髪１２ａ，１２ｂは貫通孔１４ａの収縮力Ｆによってしっかりと支持されることになる。従って、第１のベース部材１４の貫通孔１４ａの収縮作用によって一対の毛髪１２ａ，１２ｂが上方に向かって保持されるので、植設された毛髪１２の立ち上がりがよく、全体として少ない毛量でボリューム感が豊かなかつらが構成されることができる。
なお、第１のベース部材１４としてネット部材を用いる場合は、ネットの網目を貫通孔１４ａとして利用し、この網目から鉤針を挿し込んで、第２のベース部材に植設した一対の毛髪１２ａ，１２ｂを引っかけて上方へ引き出すようにすればよい。ただし、貫通孔１４ａとして利用するネットの網目は通常、収縮作用を有していないので、引き出した毛髪の立ち上がりの点では人工皮膚に及ばない。
【００２６】
本発明のかつら１０は以上のように構成されており、かつらベース１１が、例えば人工皮膚製の第１のベース部材１４とその裏側に配置された、例えばネット部材から構成した第２のベース部材１５から成る積層構造を有しており、毛髪１２が第２のベース部材１５だけに植設され、第１のベース部材１４には植設されず、単に第１のベース部材１４の裏側から表側に引き出されているだけである。従って、第１のベース部材１４には植設で生じる針足が形成されず、また、第２のベース部材１５に形成される毛髪１２の結び目１２ｃは引き出される毛髪１２ａ，１２ｂの下側に位置しているので、第１のベース部材１４の表側から透けて見えるようなこともない。
このように、一対の毛髪１２ａ，１２ｂは、第１のベース部材１４の裏側から表側に単に引き抜くだけであるので、第１のベース部材１４の表面に結び目は形成されておらず、また、その裏面には針足も形成されていないので、かつらベース１１に植設した毛髪１２が、第１のベース部材１４から直接生えているように見え、毛髪１２が、あたかも毛穴から生えているような自然な外観を呈する。したがって、かつら１０の存在が露顕してしまうおそれが低減する。
また、第１のベース部材１４が軟弾性の人工皮膚で成っているとその貫通孔１４ａから引き出された一対の毛髪１２ａ，１２ｂは貫通孔１４ａの収縮作用によってしっかりと保持されるので、各毛髪１２ａ，１２ｂは根元で倒伏することなく上方に向かって立ち上がった状態で保持されるので、全体として少ない毛量でボリューム感の豊かなかつらを構成することができる。
【００２７】
次に、本発明に係るかつらの製造方法について、図５乃至図７を参照して説明する。
図５は、本発明の第１の実施形態によるかつらの製造方法の各工程を順次に模式的に示す断面図である。図５（Ａ）に示す第１の工程として、第１のベース部材として人工皮膚部材１４に対して第２のベース部材としてネット部材１５が配置され、人工皮膚部材１４とその裏側に配置されたネット部材１５とでなるかつらベース１１が形成される。人工皮膚部材１４に対するネット部材１５の固定は、例えばこれらをそれぞれ成形した後、人工皮膚部材１４の裏側所定位置にネット部材１５を配置し、全体に接着剤を薄く塗布してネット部材１５を仮止め接着してもよく、或いはこれらを重ね合わせて、周囲又は適宜の箇所でスポット熱溶着するか、縫着するなど適宜の手段を採り得る。
人工皮膚部材１４及びネット部材１５は、頭部の寸法などにより標準化したものから選択した頭部形状類似のものや、使用者の頭部形状に合わせて型取りして成形されることができる。ネット部材１５は人工皮膚部材１４の裏側の凹状湾曲に沿って配置するため、好ましくは、人工皮膚部材１４の曲率に一致した凸状湾曲表面を持つように成形する。
【００２８】
次に、図５（Ｂ）に示す第２の工程として、かつらベース１１の裏側、即ちネット部材１５に対してその凹状の裏側から、毛髪１２を取り付ける。植設作業は、例えばかつらベース１１を裏表反転した状態で、すなわち、ネット部材１５の裏側を上側にした状態で頭部形状の雄型１８などに保持して行う。
人工皮膚部材１４とネット部材１５とを上記のように接着剤で仮止めしたものに対して植設する場合は、鉤針１６の鉤部１６ａでネット部材１５を構成するフィラメントを引っ掛けて少し持ち上げると、接着力を弱くしているため、仮止めされた周囲の領域にてネット部材１５が人工皮膚部材１４から部分的に剥がれる。その後、人工皮膚部材１４から浮き上がって僅かに離反したネット部材１５の部分に、図５（Ｃ）に示すように、鉤針１６を用いて毛髪１２の部分を、紐などを結ぶときに用いられる公知の結び方、例えばひばり結び、まき結び、左右結びなど、あるいはこれらを応用した結び方などで植設する。この際、例えば毛髪１２の折り返し部分を鉤部１６ａで引っ掛けてネット部材１５のフィラメントに一周り巻き付けた後、その折り返し部分のループに一対の毛髪１２ａ，１２ｂを挿入して引き抜くことにより、図示のように結び目１２ｃが形成される。緩まないようこの後でさらに１，２回結着してもよい。このようにしてネット部材１５の全体に所定の毛量で植設作業を行う。
【００２９】
ネット部材１５への植設作業が完了したら、図６（Ｄ）に示す第３の工程として、再びかつらベース１１を反転して、人工皮膚部材１４が上側にくるようにして頭部形状の雄型１８に保持する。この状態では、人工皮膚部材１４の下側にネット部材１５が位置し、ネット部材１５と雄型との間にネット部材１５に植設された毛髪１２が保持される。このように保持して、上方の人工皮膚部材１４の表面から、人工皮膚部材１４の所定位置１４ａにて鉤針１６を挿入する。
この鉤針１６で人工皮膚部材１４を貫通して貫通孔１４ａを形成し、その先端の鉤部１６ａにより毛髪１２の２本（一対）の毛髪１２ａ，１２ｂを引っ掛けて貫通孔１４ａから鉤針１６を引き抜くことで、図６（Ｅ）に示すように、この一対の毛髪１２ａ，１２ｂが人工皮膚部材１４の表側に引き出される。
なお、引き出された一対の毛髪１２ａ，１２ｂは、軟弾性の人工皮膚部材１４の貫通孔１４ａの収縮作用によりきつく保持されるので、毛髪の根元から立ち上がって上方に向かって延びることになる。
【００３０】
このようにして、毛髪１２がかつらベース１１に対して植設され、以上の工程を繰り返すことによって、多数本の毛髪１２がかつらベース１１に植設されることになる。なお、上記工程において、全植設量を適宜分割（例えば、数回）し、所定の毛量だけをネット部材に植設して人工皮膚部材１４の表側に引き出し、この作業を繰り返してもよい。
【００３１】
所定毛量の全ての毛髪１２がかつらベース１１に対して植設された後、必要により第４の工程として、図６（Ｆ）に示すように、裏コーティング１３を施すことができる。
この場合、第３工程完了後、ネット部材１５の上から、有機溶剤で希釈した毛髪固定用溶液を塗布し、ネット部材１５と人工皮膚部材１４に対してこの溶液を付着して硬化することで結び目１２ｃを覆って裏コーティング１３を施す。毛髪固定用溶液は、例えばゴム弾性を有する合成樹脂溶液、好ましくは人工皮膚部材１４と同系の材料から構成することにより、ネット部材１５を毛髪の結び目１２ｃと共にサンドイッチ状に被覆することができる。これにより、植設された毛髪１２の結び目１２ｃが裏コーティング１３により完全に覆われ固定されるので、この結び目１２ｃが頭皮に当接してザラつくことなく、フィット感良く頭皮に装着することができる。
【００３２】
次に、本発明の第２の実施形態に係るかつらの製造方法について、図７を参照して説明する。図７（Ａ）において、第１のベース部材として人工皮膚部材１４と第２のベース部材としてネット部材１５とをそれぞれ別個に形成する工程は、第１の実施形態の第１工程と同様である。
【００３３】
本実施形態では、図７（Ｂ）及び（Ｃ）に示すように、第２の工程として、ネット部材１５を人工皮膚部材１４に配置するに先立って、ネット部材１５に対して毛髪１２を植設する。この場合、植設した毛髪が、ネット部材１５の表側、即ち凸状表面側に延びるように植設してもよく、或いは、裏側、即ち凹状裏面側に延びるように植設してもよい。図７（Ｂ）では凹状裏面側に延びるように植設した例を示している。なお、ネット部材１５への植設作業は第１実施形態と同じであるので説明を省略する。
【００３４】
次に、第３の工程として、図７（Ｄ）に示すように、毛髪１２を植設したネット部材１５の凸状表面側を人工皮膚部材１４の凹状内面に密接して配置して固定する。この場合、例えば、人工皮膚部材１４の凹状内面の全面又は周囲などに接着剤を塗布してネット部材１５の凸状表面側を位置合わせして接着するか、これらを位置合わせして周囲を縫糸などで仮止めすればよい。或いは、ネット部材１５及び人工皮膚部材１４を順次頭形雄型１８に保持して位置合わせ後、ピン止め又は周囲をテープ等で保持するようにしてもよい。
【００３５】
このようにして雄型１８に保持した後、第４の工程として、第１の実施形態と同様に、人工皮膚部材１４の表面から鉤針１６を挿入し、その先端の鉤部１６ａに一対の毛髪１２ａ，１２ｂを引っ掛けて、人工皮膚部材１４の貫通孔１４ａから鉤針１６を引き抜くことで、各毛髪１２ａ，１２ｂを人工皮膚部材１４の表側に引き出す。この一連の作業は、第１の実施形態の説明で用いた図６（Ｄ），（Ｅ）と同様であるので、図示を省略する。
引き出された一対の毛髪１２ａ，１２ｂが、人工皮膚部材１４の貫通孔１４ａの収縮作用によりきつく保持され、毛髪の根元から立ち上がって上方に向かって延びることは、前記第１の実施形態の場合と同じである。
【００３６】
このようにして、毛髪１２ａがかつらベース１１に対して植設され、以上の工程を経て多数本の毛髪１２がかつらベース１１に植設されることになる。
【００３７】
所定毛量の全ての毛髪１２をかつらベース１１に植設後、必要に応じて第５の工程として、第１の実施形態の図６（Ｆ）と同様にして、ネット部材１５の上から結び目１２ｃを覆うように裏コーティング１３を施すことにより、毛髪１２の結び目１２ｃが完全に覆われて固定され、かつらをフィット感良く頭皮に装着することができる。
上記の製造方法においては、専ら第２のベース部材１５をネット部材として説明したが、第２のベース部材１５は人工皮膚部材であってもよい。
【実施例】
【００３８】
実施例として、本発明によるかつら１０を、本発明の第１の実施形態による製造方法で製造した。
予め用意したかつら被着者の頭部形状の雄型を利用し、熱可塑性樹脂であるウレタン樹脂を所定の厚みで塗布乾燥して成形して被着者の頭部形状に沿った凸状に湾曲した人工皮膚部材により第１のベース部材１４を作製した。
また、別途、上記頭部形状の雄型にネットを被覆し、熱硬化性のウレタン樹脂を有機溶剤で希釈した溶液を塗布した後に、１００℃前後で加熱して、頭部形状に湾曲した形態付けを行い、第２のベース部材となるネット部材１５を作製した。
次に、人工皮膚部材１４を裏返して、上記雄型に張り付け、この人工皮膚部材１４上に、同様に裏返したネット部材１５を被せた。そして、人工皮膚部材１４の有機溶剤を塗布し、所定の温度で所定時間乾燥させ、人工皮膚部材１４にネット部材１５を仮固定し、かつらベース１１を作製した。この際、植設を容易に行うために、ネット部材１５が、人工皮膚部材１４に完全に埋まらない程度に薄く塗布して一体化させた。
【００３９】
第２の工程として、上記雄型上に人工皮膚部材１４及びその上にネット部材１５を被せて保持した状態で、ネット部材１５に対して毛髪１２の植設を行った（図５（Ｂ）及び（Ｃ）参照）。植設は、長さ３０ｃｍのナイロンフィラメントによる人工毛の中央部分を二つ折りにし、この折り返し部分を植設針に引っ掛け、ネット部材１５を構成するフィラメントに巻回して結び目１２ｃを作ることで、長さ約１５ｃｍ程度の一対の毛髪１２ａ，１２ｂとし、この作業を繰り返して所定の毛量になるように植設を行った。
【００４０】
次に、第３の工程として、雄型から外して、人工皮膚部材１４が最上部にくるよう反転し、再び雄型１８に取り付けた。即ち、雄型上に順次、毛髪、ネット部材１５、人工皮膚部材１４が配置されるよう保持して、人工皮膚部材１４の表面側から鉤針１６を突き刺しこの鉤針１６で人工皮膚部材１４に貫通孔１４ａを作って貫通させて、先端の鉤部１６ａで毛髪１２の一対の毛髪１２ａ，１２ｂを引っ掛け、図６（Ｅ）に示すように、上記貫通孔１４ａを戻って毛髪の自由端側を人工皮膚部材１４の表側に引き出した（図６（Ｄ）及び（Ｅ）参照）。このようにして、植設した全ての毛髪１２を、人工皮膚部材１４の表面側に引き出すことで、かつら１０を製造した。
【００４１】
（比較例）
かつらベースとして、人工皮膚部材１４だけでネット部材１５を有していない従来のかつらを、実施例１と同じ毛髪、毛量で、Ｖ型植設を用いて製作した。
【００４２】
次に、実施例及び比較例の外観検査を行った。
実施例のかつらの場合は、人工皮膚の裏側に配置したネット部材だけに毛髪を植設しており人工皮膚部材には植設していないため、恰も頭皮の中で生育した２本の毛髪が一つの毛穴から生えているように見え、また、Ｖ植えもしていないため針足部がなく、そのため比較例のように線状の針足部が透けて視認されることもなく、比較例に比べて、とくに毛髪の生え際にて自然感があり、見栄えに優れたものであった。
【００４３】
以上、本発明の好適な実施の形態について説明したが、本発明は実施形態にのみ限定されるものでなく、本発明の範囲内で適宜変更等が可能である。さらに、上記実施形態で説明した具体的数値等は、必要に応じて適宜変更可能である。
【図面の簡単な説明】
【００４４】
【図１】図１は、本発明のかつらの構成を模式的に示す部分拡大断面図である。
【図２】図１のかつらで使用されるかつらベースの構成を示す模式的な拡大平面図である。
【図３】図２のＡ−Ａ線に沿う断面図である。
【図４】かつらベースに毛髪を植設して表面に引き出した状態を示す部分拡大断面図である。
【図５】本発明の第１の実施形態によるかつらの製造方法の各工程を順次に模式的に示す断面図である。
【図６】本発明の第１の実施形態によるかつらの製造方法の各工程を順次に模式的に示す断面図である。
【図７】本発明の第２の実施形態によるかつらの製造方法の各工程を順次に模式的に示す断面図である。
【図８】従来のかつらの一例の構成を示す概略断面図である。
【図９】図８のかつらにおける植設方法の一例を示す拡大断面図である。
【符号の説明】
【００４５】
１０：かつら
１１：かつらベース
１２：毛髪
１２ａ，１２ｂ：毛髪部分
１３：裏コーティング
１４：第１のベース部材（人工皮膚部材）
１４ａ：所定位置
１５：第２のベース部材（ネット部材）
１６：鉤針
１６ａ：鉤部
１８：雄型
【図１】
2006183215.tif 000003
【図２】
2006183215.tif 000004
【図３】
2006183215.tif 000005
【図４】
2006183215.tif 000006
【図５】
2006183215.tif 000007
【図６】
2006183215.tif 000008
【図７】
2006183215.tif 000009
【図８】
2006183215.tif 000010
【図９】
2006183215.tif 000011